(57)【要約】【課題】  さまざまな光記録媒体の再生又は記録装置に用いられる、ツインレーザに統合されたモニタダイオードのような、少なくとも２つのレーザと、両レーザと合わせて用いるモニタダイオードとを有する本質的に安全なピックアップに関する。【解決手段】  切替手段は、連動スイッチを有し、連動スイッチにより、レーザダイオードの光パワーを制御するための参照値が生成されると共に、ツインレーザの過負荷又は破壊につながるレーザダイオードの同時駆動、又は、光パワー調整手段との間違った関係が妨げられる。ＤＶＤ／ＣＤ回路とピックアップとの間に設ける必要がある、切替スイッチは必要ではない。
2005531865.tif 000002
【特許請求の範囲】
【請求項１】
少なくとも２つのレーザダイオード（ＬＤ１、ＬＤ２）と、レーザダイオード（ＬＤ１、ＬＤ２）の異なる光パワーレベルを制御する、モニタダイオード（ＰＤ）とを有し、さまざまな光記録媒体の再生又は記録装置のための本質的に安全なピックアップであって、
モニタダイオード（ＰＤ）と共に、１のレーザダイオード（ＬＤ１又はＬＤ２）に関連する参照値を生成するために、そして、本質的に安全なピックアップ（ＥＰＵ）を形成するために連動スイッチ（Ｓ１、Ｓ２）から成る切替手段（ＳＷ）を有するピックアップ。
【請求項２】
切替手段（ＳＷ）は、光パワー調整抵抗（Ｒ１、Ｒ２）に接続されている連動スイッチ（Ｓ１、Ｓ２）を含む請求項１に記載の本質的に安全なピックアップ（ＥＰＵ）。
【請求項３】
切替手段（ＳＷ）の連動スイッチ（Ｓ１、Ｓ２）は、１のレーザダイオード（ＬＤ１又はＬＤ２）のレーザ制御ループの参照値を生成するために、モニタダイオード（ＰＤ）を、光パワー調整抵抗（Ｒ１、Ｒ２）を経由して、レーザレギュレータ（ＬＲ１、ＬＲ２）の基準に接続し、本質的に安全なピックアップ（ＥＰＵ）を形成するために、総ての光パワー調整抵抗（Ｒ１、Ｒ２）を切り離す、請求項１に記載の本質的に安全なピックアップ。
【請求項４】
レーザダイオード（ＬＤ１、ＬＤ２）の光パワーレベルを設定するために、モニタダイオード（ＰＤ）と共に、少なくとも２つのレーザ制御ループが設けられ、それぞれは、モニタダイオード（ＰＤ）に接続されたレーザレギュレータ（ＬＲ１、ＬＲ２）と、レーザダイオード（ＬＤ１、ＬＤ２）の光パワーレベルを設定するために、レーザレギュレータ（ＬＲ１、ＬＲ２）に接続された制御可能である電流源（Ｑ１、Ｑ２）とを有し、レーザレギュレータ（ＬＲ１、ＬＲ２）は、再生又は記録装置の光記録媒体の種別を識別する制御信号（ＳＴ１、ＳＴ２）により駆動される請求項３に記載の本質的に安全なピックアップ。
【請求項５】
モニタダイオード（ＰＤ）に接続されたレーザレギュレータ（ＬＲ１、ＬＲ２）と、制御可能である電流源（Ｑ１、Ｑ２）が、レーザダイオード（ＬＤ１、ＬＤ２）のそれぞれに設けられた請求項１に記載の本質的に安全なピックアップ。
【請求項６】
２つの連動スイッチ（Ｓ１、Ｓ２）からなる切替手段（ＳＷ）は、レーザダイオード（ＬＤ１、ＬＤ２）に関しての参照値を生成し、本質的に安全なピックアップ（ＥＰＵ）を形成するための論理回路を有し、論理回路は、同時の作動により、スイッチ（Ｓ１、Ｓ２）が同時に閉じ、同時に開くことを防ぐ請求項１に記載の本質的に安全なピックアップ。
【請求項７】
連動スイッチ（Ｓ１、Ｓ２）は、電子スイッチである請求項１に記載の本質的に安全なピックアップ。
【請求項８】
連動スイッチ（Ｓ１、Ｓ２）の制御線には、論理回路がある請求項１に記載の本質的に安全なピックアップ。
【請求項９】
切替手段（ＳＷ）は、それぞれが反転入力を持つ２つの論理積ゲート（Ｕ１、Ｕ２）を有し、論理積ゲート（Ｕ１又はＵ２のそれぞれ）の各反転入力は、他の論理積ゲート（Ｕ１又はＵ２のそれぞれ）の入力に接続され、切替手段（ＳＷ）のスイッチ（Ｓ１、Ｓ２）の１方に、切替信号（ｔＳＷ１、ｔＳＷ２）が適用され、切替手段（ＳＷ）の制御入力は、その入力にスイッチ（Ｓ１、Ｓ２）のための切替信号（ｔＳＷ１、ｔＳＷ２）が適用され、論理積ゲート（Ｕ１、Ｕ２）の出力に接続される請求項１に記載の本質的に安全なピックアップ。
【請求項１０】
モニタダイオード（ＰＤ）と、１のレーザダイオード（ＬＤ１又はＬＤ２）とに関連する参照値は、切替手段（ＳＷ）を経由して、モニタダイオード（ＰＤ）に接続された光パワー調整手段により生成される請求項１に記載の本質的に安全なピックアップ。
【請求項１１】
モニタダイオード（ＰＤ）に接続された光パワー調整手段は、光パワー調整抵抗（Ｒ１、Ｒ２）である請求項１０に記載の本質的に安全なピックアップ。
【請求項１２】
切替手段（ＳＷ）のスイッチ（Ｓ１、Ｓ２）は、再生又は記録装置の光記録媒体の種別を識別する制御信号（ＳＴ１、ＳＴ２）により、スイッチ（Ｓ１、Ｓ２）を連動させ、本質的に安全なピックアップ（ＥＰＵ）を形成する論理回路を経由して作動する請求項１に記載の本質的に安全なピックアップ。
【請求項１３】
切替手段のスイッチ（Ｓ１、Ｓ２）は、レーザダイオード（ＬＤ１、ＬＤ２）に接続されている変調部（ＢＭＯＤ）からの切替信号（ｔＳＷ１、ｔＳＷ２）の手段により、スイッチ（Ｓ１、Ｓ２）を連動し、本質的に安全なピックアップ（ＥＰＵ）を形成する論理回路を経由して制御される請求項１に記載の本質的に安全なピックアップ。
【請求項１４】
変調器（ＭＯＤ）が、各レーザダイオード（ＬＤ１、ＬＤ２）のために変調部（ＢＭＯＤ）内に設けられ、接続されているレーザダイオード（ＬＤ１、ＬＤ２）が作動したときに、変調器（ＭＯＤ）を切り替える制御部（ｃｏｎｔｒ）を有し、
制御部（ｃｏｎｔｒ）は、論理回路の手段により、スイッチ（Ｓ１、Ｓ２）を制御するための切替信号（ｔＳＷ）を生成する請求項１３に記載の本質的に安全なピックアップ。
【請求項１５】
切替手段（ＳＷ）のスイッチ（Ｓ１、Ｓ２）の制御入力は、スイッチ（Ｓ１、Ｓ２）を連動し、本質的に安全なピックアップ（ＥＰＵ）を形成する論理回路を経由して、レーザダイオード（ＬＤ１又はＬＤ２）に接続する比較器（Ｋ１、Ｋ２）と接続する請求項１に記載の本質的に安全なピックアップ。
【請求項１６】
レーザダイオード（ＬＤ１又はＬＤ２）に関する参照値を生成するために、モニタダイオード（ＰＤ）を設けられた光パワー調整抵抗（Ｒ１、Ｒ２）は、少なくとも２つのレーザダイオード（ＬＤ１、ＬＤ２）と、レーザダイオード（ＬＤ１、ＬＤ２）の異なる光パワーレベルを制御するモニタダイオード（ＰＤ）とを有する本質的に安全なピックアップ（ＥＰＵ）を形成するために、切替手段（ＳＷ）により切り離される請求項１に記載の本質的に安全なピックアップ。
【請求項１７】
切替手段（ＳＷ）と、レーザダイオード（ＬＤ１、ＬＤ２）に接続されている変調部（ＢＭＯＤ）は、共通基板上に配置される請求項１に記載の本質的に安全なピックアップ。
【請求項１８】
切替手段（ＳＷ）は、レーザダイオード（ＬＤ１、ＬＤ２）の光パワーを制御するために、それぞれのレーザダイオード（ＬＤ１、ＬＤ２）に関する参照値を生成し、本質的に安全なピックアップ（ＥＰＵ）を形成する、ピックアップに設けられた連動スイッチ（Ｓ１、Ｓ２）を含む請求項１に記載の本質的に安全なピックアップ。
【請求項１９】
少なくとも２つのレーザダイオード（ＬＤ１、ＬＤ２）と、レーザダイオード（ＬＤ１、ＬＤ２）の異なる光パワーレベルを制御するモニタダイオード（ＰＤ）を有するさまざまな光記録媒体のための再生又は記録装置において、
ＤＶＤ／ＣＤ回路（ＣＳ）に接続する本質的に安全なピックアップ（ＥＰＵ）を備えることを特徴とする再生又は記録装置。
【請求項２０】
本質的に安全なピックアップ（ＥＰＵ）は、ツインレーザ（ＴＷＬ）に統合されているレーザダイオード（ＬＤ１、ＬＤ２）と、モニタダイオード（ＰＤ）を含む請求項１９に記載の再生又は記録装置。
【発明の詳細な説明】
【技術分野】
【０００１】
本発明は、ＤＶＤや、ＣＤ記録媒体のような、さまざまな光記録媒体の再生又は記録装置に用いられる、ツインレーザに統合されているモニタダイオードの様な、少なくとも２つのレーザと、両レーザと協調して利用されるモニタダイオードを有する、本質的に安全なピックアップに関する。
【背景技術】
【０００２】
ＣＤ、ＤＶＤ又はブルーディスクといった光記録媒体は、記録密度、構造、層構造及び情報記録要素の大きさの点で相違する。その様な、さまざまな記録媒体上の情報の記録及び再生は、各記録媒体に適合した光源のみならず、光源の光パワーを制御するために、その感度が調整されるべき検出器も必要とする。ツインレーザは、さまざまな光記録媒体の記録又は再生に要求される光を供給するための変調器に接続される光源として公知のものである。これらツインレーザは、一般的に、ツインレーザに統合された要素として設けられ、モニタダイオードと呼ばれるフォトダイオードを備えており、レーザの光パワーを制御するための光検出器として使用される。少なくとも２つの異なる光源、又は、ピックアップでの異なる光パワーレベルが、１のモニタダイオードによる手段で制御又は調整される必要がある。
【０００３】
結果として、切替手段及び切替信号を設けなければならず、それら手段により、光検出器の感度又は下流にある処理回路が、各光パワーレベルに適合され、レーザ又はレーザダイオードの光パワーが調整される。
【０００４】
さまざまな光記録媒体のための再生又は記録装置のための統合したＤＶＤ／ＣＤ回路は、記録媒体種別により制御されるレーザダイオードの光パワーを制御するための２つの電流源を含み、それぞれがモニタダイオードを有する２つの独立したレーザの使用に基づいている。このため、回路は、適切な制御信号を生成するディスク種別識別回路を有している。しかしながら、ディスク種別の識別は困難であり、両レーザが同時に駆動され、それにより、光パワーを調整する抵抗と、適切なレーザの関係が誤ったものとなり、結果、ツインレーザが過負荷及び破壊することが明らかとなっている。他方、ツインレーザのための変調回路のデータシートは、２つのレーザが同時に駆動されることを防ぐ、付加的な切替スイッチを持つ回路配置に言及し、これは、従来のピックアップとの互換性を確実なものとしている。しかし、それには、付加的な切替スイッチを必要とし、付加的な切替スイッチは、そこにはない状態に基づき制御される必要があるという欠点がある。上記データシートは、光検出器の感度又は下流の処理回路の制御に関しての情報を含んではいない。
【発明の開示】
【発明が解決しようとする課題】
【０００５】
従って、本発明は、ツインレーザと、少数のスイッチ素子及び制御線を有し、２つのレーザの光パワーを制御するモニタダイオードを含み、にもかかわらず信頼ある動作を保障し、ツインレーザの破壊を防ぎ、付加的な切替スイッチを必要としない再生又は記録装置のための本質的に安全なピックアップを提供することを目的とする。
【０００６】
この目的は、独立請求項で特定される特徴により達成される。有利な実施形態は、従属請求項で特定される。
【課題を解決するための手段】
【０００７】
本発明の特徴は、ツインレーザを有し、ツインレーザが有する２つのレーザの光パワーを制御するためのモニタダイオードを含む本質的に安全な装置であり、レーザダイオードを別々に駆動するための付加的な切替スイッチの必要はなく、光パワー調整抵抗と対応するレーザ間の関係が正しいもので有ることが保証される、さまざまな光記録媒体のための再生又は記録装置のピックアップにある。
【０００８】
本発明の更なる特徴は、複雑さはほとんどなく、ＤＶＤ／ＣＤ回路との間に少数の接続線のみ有する本質的に安全なピックアップを持つ、さまざまな光記録媒体のための再生又は記録装置にある。
【０００９】
目的の１つは、１のモニタダイオードのみ使用して、２つのレーザダイオードの光パワー制御することにあり、他の目的は、ツインレーザの２つのレーザダイオードが、別々に駆動されることを保証するために、付加的な切替スイッチを使用しないことであるので、本質的に安全なピックアップは、付加的な切替スイッチなしに、２つのレーザダイオードが同時に駆動されたときでも、２つのレーザの破壊を防ぎ、光パワー調整抵抗が適合したレーザと正しい関係にあることを確実にするよう設けられる。このため、本質的に安全なピックアップは、連動スイッチから成る切替手段を有し、切替手段により、ツインレーザ内のレーザの光パワーを制御するための参照値が生成され、本質的に安全なピックアップが作られる。本質的に安全なピックアップは、共通のモニタダイオードを有し、さまざまな光記録媒体のための再生又は記録装置内のレーザが同時に駆動されても、レーザの過負荷又は破壊を引き起こさないことにより達成できる。連動スイッチにより形成される切替手段は、このため、１のレーザが駆動されたとき、モニタダイオードに接続された光パワー調整手段が、このレーザに関しての参照値を生成するために設けられ、両レーザが駆動されたとき、レーザの過負荷又は破壊を防ぐため、１の光パワー調整手段が実効的となる。両レーザが同時に駆動されたときに、レーザの過負荷又は破壊を防ぐ光パワー調整手段は、レーザのための参照値を生成するモニタダイオードと共に設けられる。
【００１０】
典型的な実施形態において、連動スイッチから成る切替手段は、両スイッチが同時に作動したとき、スイッチの制御線に論理回路をいれることにより、両スイッチをオープンとする。論理回路は、例えば、各制御線に配置され、他方のスイッチの制御線に接続する反転入力を持つ論理積ゲートにより形成される。基本的に、この原理は、異なる光パワーを、唯１のモニタダイオードにより制御することを目的とする、２以上のレーザにも拡張することができる。この様な実施形態において、適切な数の反転入力をもつ論理積ゲートを設けるか、又は、唯１つの反転入力を持つ論理積ゲートに、適切なディカップリングダイオードを設ける必要がある。
【００１１】
光パワー調整手段は、電位差計又は調整器の調整であり、調整器は、レーザレギュレータの基準に接続され、又は、連動スイッチを経由してモニタダイオードに接続され、レーザレギュレータの手段により光パワーを調整するための入力信号を生成する。ピックアップのグラウンド電位は、一般的に、レーザ駆動ボードのグラウンド電位と同じでないので、レーザレギュレータの基準は、例えば、レーザ駆動ボードを形成するＤＶＤ／ＣＤ回路のグラウンドである。原理的には、光パワー調整手段をスイッチの上流に配置することも可能であり、スイッチを経由してレーザレギュレータの基準に接続される。変調器により生成され、１のレーザに供給された信号は、好ましくは、スイッチの制御信号として使用する。原理的に、切替手段のスイッチの制御信号は、レーザに接続し、閾値により切替に使用される比較器により形成することも可能である。
【００１２】
２つのレーザと、共通のモニタダイオードを有するツインレーザのレーザにより生成される光は、光記録媒体への情報の記録又は光記録媒体からの情報の再生に使用するには、十分に均一ではないため、ツインレーザのために、２つの変調器が１の変調部に設けられる。変調器は、各レーザに接続し、レーザが駆動されたときに動作する。変調信号の周波数と振幅に加え、本発明の特徴によると、変調信号は、切替手段を制御する切替信号として使用される。切替手段のスイッチは、異なる光パワー調整手段とモニタダイオードを接続するので、その感度がレーザの光パワーを制御するために使用される光検出器が形成される。光検出器の感度は、レーザ又はレーザダイオードの光パワーを制御するために用いられる参照値を生成するために使用される。光検出器の感度とレーザダイオードに関する参照値は、レーザレギュレータの制御信号を生成するモニタダイオードと、並列に適切な抵抗を接続することにより生成される。異なる光パワーレベルと、異なる参照値を、唯１つのモニタダイオードを用いて設定するので、光パワー調整抵抗を形成し、所定の光パワーレベルを設定するために電位差計又はレギュレータの調整の形での、対応する数の抵抗を設ける。ツインレーザの場合において、光パワー調整抵抗と応分のレーザの誤った関係、又は、両光パワー調整抵抗の同時接続は、過負荷又は破壊の原因となるので、上述した切替手段が、本発明の実施形態に従い、基板上のモジュールとして配置される。モジュールは、各レーザダイオードのための、別々の変調器と、電子スイッチとを含む。記載した配置は、レーザが同時に駆動されたとしても、過負荷又は破壊とならない、本質的に安全なピックアップとなり、その結果、レーザを別々に駆動するための付加的な切替スイッチは必要ではなく、にもかかわらず従来からのピックアップと互換性を有するものである。ツインレーザのレーザダイオードの光パワーを制御するための、２つの別々の電流源を持つＤＶＤ／ＣＤ回路は、複雑さがほとんどない、さまざまな光記録媒体のための再生又は記録装置を形成するために利用され、前記さまざまな光記録媒体のための再生又は記録装置は、本質的に安全なピックアップの使用により高い信頼性を有し、ピックアップとＤＶＤ／ＣＤ回路間の少数の接続線のみを必要とする。
【００１３】
ピックアップの本質的な安全性は、ツインレーザのレーザが同時に駆動されている間、モニタダイオードにより形成され、非常に高い感度を持つ光検出器により達成される。光検出器の高い感度は、レーザのパワーを減少させ、ツインレーザの過負荷又は破壊を防ぐ。モニタダイオードにより形成される光検出器の高い感度は、あるレーザに加えて、更なるレーザが駆動されたときに、光検出器の感度を調整するために設けられている、光パワー調整抵抗又は光パワー調整手段を、切り離すことにより達成される。光パワー調整手段と、対応するレーザ間の正しい関係は、適切な切替を行うために、レーザ駆動電流を使用することにより確実なものとなる。ピックアップの本質的な安全性は、この様に達成され、レーザが同時に駆動されたときを考慮して、ＤＶＤ／ＣＤ回路とピックアップ間に設けられる付加的な切替スイッチをもはや必要としない利点がある。
【発明を実施するための最良の形態】
【００１４】
本発明を実施するための最良の実施形態について、以下では図面を用いて詳細に説明する。図中において、同一要素には、同じ符号を使用する。
【００１５】
図１は、本質的に安全なピックアップＥＰＵを備えた、さまざまな光記録媒体のための再生又は記録装置のブロックダイアグラムであり、明確化のため、本発明の目的に必要な要素のみ示したものである。さまざまな光記録媒体のための再生又は記録装置は、本質的に安全なピックアップＥＰＵと、本質的に安全なピックアップＥＰＵと少数の線のみにより接続された、統合されたＤＶＤ／ＣＤ回路ＣＳとにより形成され、付加的な切替スイッチを有してはいない。
【００１６】
図６に示すように、さまざまな光記録媒体のための再生又は記録装置に用いられる、統合されたＤＶＤ／ＣＤ回路ＣＳの開発は、それぞれが、モニタダイオードＰＤ１、ＰＤ２を有する、２つのレーザダイオードＬＤ１、ＬＤ２の利用に基づき、それぞれが、さまざまな光記録媒体のための情報の記録又は再生を行う光システムを形成している。これは、それぞれがモニタダイオードＰＤ１、ＰＤ２を持つ２つのレーザダイオードＬＤ１、ＬＤ２を含むピックアップＰＵのために、統合されたＤＶＤ／ＣＤ回路ＣＳに対して、２つのレーザレギュレータＬＲ１及びＬＲ２と、２つの電流源Ｑ１及びＱ２とを、標準的に持たせることとなる。結果、レーザＬＤ１、ＬＤ２の光パワーは、各レーザ制御ループの手段により、お互いに独立して供給されこととなる。各レーザ制御ループ内の光パワーの参照値は、モニタダイオードＰＤ１又はＰＤ２に接続されている光パワー調整抵抗Ｒ１又はＲ２の手段により、別々に、各レーザ制御ループ内で生成される。それぞれがモニタダイオードＰＤ１又はＰＤ２を有する、２つの別々のレーザ制御ループを用いるので、相互の干渉又は光パワー調整抵抗Ｒ１とＲ２の誤った関係は、根本的に生じ得ない。２つの別々の光システムを供えた、この様な、ピックアップＰＵは、一般的には、信頼できるものと看做されている。しかし、その様なピックアップＰＵは、別々の光システムを必要とするので、極めて複雑であるという欠点を有する。異なる記録媒体のための２つの光システムは、モニタダイオードＰＤ１、ＰＤ２を持つレーザダイオードＬＤ１、ＬＤ２の大きさと、レーザダイオードＬＤ１とＬＤ２間に原理上、分離を必要とする。２つのレーザダイオードＬＤ１、ＬＤ２と、１つのモニタダイオードＰＤを、チップ上に短い距離で配置して結合した、所謂、ツインレーザＴＷＬの開発により、光システムの数を、大きく減らすことができ、従って複雑さを減らすことができた。それぞれがモニタダイオードＰＤ１、ＰＤ２を有する２つのレーザＬＤ１、ＬＤ２からなる回路配置は、図７に示す様に、ツインレーザＴＷＬによって置き換えられている。ツインレーザＴＷＬは、さまざまな光記録媒体のために、レーザＬＤ１、ＬＤ２の光パワーを制御するモニタダイオードＰＤを、唯１つのみ有するので、各レーザＬＤ１、ＬＤ２に適切な参照値を設定するために用いられる切替手段ＳＷを設けなければならない。この切替手段ＳＷは、ＤＶＤ／ＣＤ回路ＣＳが配置されるプリント基板上に配置することができる。図７に既に示しているうに、切替手段ＳＷには、レーザダイオードＬＤ１、ＬＤ２のための変調器ＭＯＤにより生成される、１の切替信号ｔＳＷを使用することが有利である。しかし、切替手段ＳＷのスイッチＳ１、Ｓ２が、変調器ＭＯＤからの切替信号ｔＳＷにより直接動作させられるのか、ＤＶＤ／ＣＳ回路ＣＳからのディスク種別識別信号により直接動作させられるのかに係らず、この様なピックアップＰＵは、安全ではなく、信頼もできない。これは、（図示しない）ディスク種別識別回路により生成され、適切なディスク種別ＤＶＤ又はＣＤに応じて、適切なレーザＬＤ１、ＬＤ２を切り替えるために使用される制御信号ＳＴ１、ＳＴ２が、しばしば、同時に生じ、結果、ツインレーザＴＷＬの２つのレーザＬＤ１、ＬＤ２が同時に駆動されるという事実に基づいている。両レーザＬＤ１及びＬＤ２を同時に駆動すること、又は、レーザＬＤ１、ＬＤ２の光パワー調整抵抗Ｒ１、Ｒ２の誤った関係は、ツインレーザＴＷＬの過負荷又は破壊につながる。光パワー調整抵抗Ｒ１とＲ２が並列に接続されたとき、モニタダイオードＰＤからなる光検出器は、最も低い感度を持つことになるので、レーザ制御ループにおいて、レーザＬＤ１、ＬＤ２の過度の駆動、及び／又は、レーザＬＤ１、ＬＤ２の破壊の原因となる。これは、レーザＬＤ１、ＬＤ２と、光パワー調整抵抗Ｒ１、Ｒ２の誤った関係の場合にも当てはまり、例えば、これは、両レーザＬＤ１、ＬＤ２が駆動されたとき、光パワー調整抵抗Ｒ１、Ｒ２の１方のみがモニタダイオードＰＤに接続され、高いレーザ電流を生じさせるレーザレギュレータＬＲ１、ＬＲ２が制御動作を行っているときに生じる。これは、光検出器を低い感度に設定する光パワー調整抵抗Ｒ１、Ｒ２によってのみ生じるのではなく、レーザレギュレータＬＲ１、ＬＲ２の入力間の異なるオフセットによっても生じる。切替手段ＳＷの（図７に示されている）スイッチＳ１、Ｓ２を、図４に示されているように、切替スイッチＵＳで置き換えたとしても、ツインレーザＴＷＬの過負荷又は破壊を防ぐことはできないので、ツインレーザのための変調器のデータシートにおいては、付加的な切替スイッチＺＵＳの利用を提案している。図４に示すように、レーザＬＤ１、ＬＤ２への接続線にある付加的な切替スイッチＺＵＳは、ただ１つのレーザＬＤ１又はＬＤ２のみ駆動することを確実にする。付加的な切替スイッチＺＵＳは、複雑さが増加することを表し、制御信号ＳＴ１と、ＳＴ２の組合せにより生成させられる、更なる、制御信号ＳＴ３を必要とする。
【００１７】
ツインレーザＴＷＬのための変調器のメーカーからのデータシートで述べられているように、当初は、付加的な切替スイッチＺＵＳなしですますことは不可能と思われていたけれども、本発明の目的の１つは、さまざまな光記録媒体の再生又は記録装置を、低いレベルの複雑さで製造できる本質的に安全なピックアップＥＰＵであって、ツインレーザＴＷＬを有するが、付加的な切替スイッチＺＵＳがない本質的に安全なピックアップＥＰＵを提供することである。本質的に安全なピックアップＥＰＵを有するこの様な装置の典型的な実施形態を、図１に示す。本発明は、信頼できないディスク種別識別の結果生じる、レーザＬＤ１及びＬＤ２の同時駆動、又は、光パワー抵抗Ｒ１とＲ２の誤った関係による、ツインレーザＴＷＬの破壊又は過負荷を排除することの必要性の認識に基づいている。このため、図１に示すように、連動スイッチＳ１及びＳ２からなり、レーザＬＤ１又はＬＤ２の１つのために、唯１の参照値のみを生成する切替手段ＳＷを備えている。スイッチＳ１及びＳ２の連動は、原理上、スイッチＳ１、Ｓ２を経由して、モニタダイオードＰＤに、ただ１つの光パワー調整抵抗Ｒ１又はＲ２を接続し、レーザＬＤ１及びＬＤ２が同時に駆動されたときは、２つの光パワー調整抵抗Ｒ１、Ｒ２をモニタダイオードＰＤから分離することにより達成される。光パワー調整抵抗Ｒ１、Ｒ２と共に、モニタダイオードＰＤは、所定の感度の光検出器を構成し、対応するレーザＬＤ１、ＬＤ２の光パワーを制御する参照値を生成するために使用される。レーザＬＤ１及びＬＤ２が同時に駆動されたときは、光パワー調整抵抗Ｒ１、Ｒ２は、モニタダイオードＰＤから分離されるので、結果として、非常に高い感度の光検出器となり、レーザＬＤ１、ＬＤ２の光パワーは、レーザレギュレータＬＲ１、ＬＲ２により減少させられ、よって、ツインレーザＴＷＬの過負荷及び／又は破壊を防ぐこととなる。この認識に基づき、図２に示す、切替手段ＳＷのスイッチＳ１、Ｓ２の切替状態をａからｄとし、レーザＬＤ１、ＬＤ２の駆動状態の関数として表した、真理値表を生成することが可能となる。図２に示す表において、“０”は、対応するレーザＬＤ１、ＬＤ２が駆動されていないこと、対応するスイッチＳ１、Ｓ２がオープンであることを示している。“１”は、対応するレーザＬＤ１、ＬＤ２が駆動されていること、対応するスイッチＳ１、Ｓ２がクローズであることを示している。レーザＬＤ１、ＬＤ２のどちらも駆動されていない場合は、スイッチＳ１、Ｓ２がオープンであるかクローズであるかは関係がないことには、注意が必要である。
【００１８】
上述した真理値表に基づき、回路配置を形成することができ、１の実施形態を図３に示す。図３によると、２つの比較器Ｋ１とＫ２が設けられ、それぞれ、レーザＬＤ１、ＬＤ２に接続されている。他方、比較器Ｋ１とＫ２は、参照電圧源ＶＣに接続され、切替手段ＳＷのスイッチＳ１、Ｓ２を制御するために使用される論理回路にたいして、切替信号を生成するために用いられている。論理回路は、それぞれ反転入力を持つ２つの論理積ゲートＵ１、Ｕ２からなり、反転入力は、非反転入力とは、異なる論理積ゲートＵ１、Ｕ２に接続されている。論理積ゲートＵ１、Ｕ２の出力は、図２に示す真理値表に従い、切替手段ＳＷのスイッチＳ１、Ｓ２の制御信号を生成する。しかし、図１に示すように、変調部ＢＭＯＤからの切替信号ｔＳＷ１、ｔＳＷ２を、上述した論理回路の制御に使用するのであれば、図３に示す比較器Ｋ１、Ｋ２は必要ではない。変調部ＢＭＯＤは、各レーザＬＤ１、ＬＤ２のための変調器ＭＯＤを含み、変調器ＭＯＤの基本的なデザインを、図５のブロックダイアグラムに示す。
【００１９】
図５に示す変調器ＭＯＤはレーザＬＤと接続し、その接続点は、レーザＬＤと、インダクタＨとの接続点であり、レーザの駆動装置として設けられている電流源Ｑは、インダクタＨを経由してレーザＬＤと接続している。変調器ＭＯＤは、前記レーザＬＤとの接続点を介して動作する、レーザＬＤに、変調器ＭＯＤが生成する変調信号ｍｏｄを供給する。変調信号ｍｏｄは、所定の振幅を持つ無線周波数帯の信号であり、変調された光パワーＬｐを生成するために使用され、光パワーＬｐは、公知の方法で、光記録媒体を用いた情報の記録又は再生に必要とされるよりも、ずっと、均一なものとして特徴付けられる。ツインレーザＴＷＬが使用されるときは、この変調もまた、ＣＤ記録媒体を対象としたレーザＬＤ１、ＬＤ２のために設けられる。変調器ＭＯＤは、発振器ｏｓｃｉｌと、増幅器ＲＦを有し、変調信号ｍｏｄの周波数と振幅を設定するために、抵抗Ｆｒｅｑと、抵抗Ａｍｐに接続されている。
【００２０】
制御部ｃｏｎｔｒは、変調器ＭＯＤを作動させるために設けられ、図３に示す比較器Ｋ１、Ｋ２と同じように、参照電圧ｒｅｆとの比較により、切替信号ｔＳＷを生成するためにも使用される。この切替信号ｔＳＷの使用を可能とするために、上述した論理回路の入力信号としての使用に適した切替信号ｔＳＷを生成する、接続ｓｅｌｅｃｔを変調器ＭＯＤに設ける。図１に示すように、２又はそれ以上の変調器ＭＯＤを結合して、変調部ＢＭＯＤを形成する。
【００２１】
図示されてはいないが、他の典型的な実施形態は、論理回路と変調部ＢＭＯＤを有する共通基板ＭＳに配置された、切替手段ＳＷと同様に、変調部ＢＭＯＤに統合された論理回路を提供する。その場合、切替手段ＳＷのスイッチＳ１、Ｓ２は、電子スイッチＳ１、Ｓ２となる。
【００２２】
図１に示すように、変調部ＢＭＯＤで生成される切替信号ｔＳＷ１、ｔＳＷ２と、本質的に安全なピックアップＥＰＵと、ＤＶＤ／ＣＤ回路ＣＳとは、さまざまな光記録媒体の記録又は再生装置を供給するために用いられ、複雑さはほとんどなく、本質的に安全なピックアップＥＰＵとＤＶＤ／ＣＤ回路ＣＳ間に、少数の接続線のみを必要とする。付加的な切替スイッチＺＵＳは必要でなく、本質的に安全なピックアップＥＰＵは、レーザレギュレータＬＲ１、ＬＲ２が制御信号ＳＴ１、ＳＴ２（これらが、ディスク種別識別回路より同時に生成され）により同時に駆動されたとしても、ツインレーザＴＷＬは、過負荷とならず、破壊もされないことを確実にする。
【００２３】
光パワー調整抵抗Ｒ１、Ｒ２と、対応するレーザＬＤ１、ＬＤ２の正しい関係は、切替手段ＳＷのスイッチＳ１、Ｓ２を制御するために、レーザＬＤ１、ＬＤ２の制御電流を用いることにより、確実に行える。
【００２４】
図に示されているモニタダイオードＰＤは、共通のカソードを持つモニタダイオードＰＤであり、即ち、モニタダイオードＰＤのカソードは、レーザダイオード又はレーザダイオードＬＤ１、ＬＤ２に接続されている。共通のカソードを持つモニタダイオードＰＤの利点は、レーザの駆動装置に負の電圧を供給する必要がないことである。
【００２５】
図１に示すように、ツインレーザＴＷＬとして、２つのレーザダイオードＬＤ１、ＬＤ２が、１つのモニタダイオードＰＤと統合されるが、レーザダイオードＬＤ１、ＬＤ２とモニタダイオードＰＤはお互い、共通の接地線を介して接続している。比較的簡単な増幅器又はレーザレギュレータＬＲ１、ＬＲ２を用い、両レーザダイオードＬＤ１、ＬＤ２の光パワーを制御することを可能とするためには、レーザダイオードＬＤ１、ＬＤ２の絶対的な光パワーレベルとは独立した光検出器信号の生成が必要である。レーザダイオードＬＤ１、ＬＤ２に、誘導コイルＨ１、Ｈ２を介して接続する駆動装置又は電流源Ｑ１、Ｑ２は、レーザダイオードＬＤ１、ＬＤ２に、異なる電流値を設定するために設けられる。レーザダイオードＬＤ１、ＬＤ２の一方又は他方は、記録媒体それぞれの要求に従い駆動される。レーザダイオードＬＤ１、ＬＤ２より生成される光パワーレベルは、モニタダイオードＰＤにより生成される信号が異なるように、異なる。それにも係らず、レーザダイオードＬＤ１、ＬＤ２の絶対的な光パワーレベルに無関係な、光検出器信号を生成するために、モニタダイオードＰＤは、切替手段ＳＷを経由して、光パワー調整抵抗Ｒ１、Ｒ２に接続させる。モニタダイオードＰＤと共に、光パワー調整抵抗Ｒ１、Ｒ２が、光検出器を形成し、その感度は、切替手段により制御される。この実施形態では、モニタダイオードＰＤに異なる値の抵抗を並列に接続することで、光検出器の異なる感度が達成できる。従って、レーザダイオードＬＤ１、ＬＤ２の絶対的な光パワーレベルとは無関係な、光検出器信号を生成するために、モニタダイオードからの出力信号は、結果、異なる範囲で減衰させられる。
【００２６】
本質的に安全なピックアップＥＰＵは、連動スイッチＳ１、Ｓ２から成る切替手段ＳＷを有し、レーザダイオードＬＤ１、ＬＤ２の光パワーを制御するために、モニタダイオードＰＤと共に、１のレーザダイオードＬＤ１又はＬＤ２に関しての、参照値を生成するばかりではなく、同時に、ツインレーザＴＷＬの過負荷又は破壊の原因となる、レーザダイオードＬＤ１、ＬＤ２が、同時に駆動されること、又は、光パワー調整手段との不適切な関係となることを防ぐ。本質的に安全なピックアップを有する、さまざまな光記録媒体のための再生又は記録装置は、通常、ＤＶＤ／ＣＤ回路ＣＳとツインレーザＴＷＬを有するピックアップ間に設ける必要がある付加的な切替スイッチＺＵＳを必要とはしない。
【００２７】
以上の実施形態は、例示であり、当業者により為される、本発明の範囲内での他の実施形態も存在する。
【図面の簡単な説明】
【００２８】
【図１】本質的に安全なピックアップを備えた、さまざまな光記録媒体のための再生又は記録装置の回路配置のブロックダイアグラムである。
【図２】本質的に安全なピックアップに関する真理値表である。
【図３】１のモニタダイオードを備えたツインレーザの、異なる光パワーのための参照値を生成する切替手段への切替制御信号を生成する回路配置のブロックダイアグラムである。
【図４】公知のピックアップを備えた、さまざまな光記録媒体のための再生又は記録装置の回路配置のブロックダイアグラムである。
【図５】レーザダイオード変調器のブロックダイアグラムである。
【図６】各レーザに対して、それぞれモニタダイオードを備えた、さまざまな光記録媒体のための再生又は記録装置の回路配置のブロックダイアグラムである。
【図７】安全でないピックアップを備えた、さまざまな光記録媒体のための再生又は記録装置の回路配置のブロックダイアグラムである。
【図１】
2005531865.tif 000003
【図２】
2005531865.tif 000004
【図３】
2005531865.tif 000005
【図４】
2005531865.tif 000006
【図５】
2005531865.tif 000007
【図６】
2005531865.tif 000008
【図７】
2005531865.tif 000009
【国際調査報告】
2005531865.tif 000010
2005531865.tif 000011
2005531865.tif 000012